(57)【特許請求の範囲】
【請求項１】
インクを吐出する多数のノズルが配列された複数の短尺ヘッドを、端部側の複数ノズルが、隣接する短尺ヘッドと互いに重なり合うように配設して構成された長尺のヘッドユニットを有し、前記ヘッドユニットのノズルから記録媒体に向けてインクを吐出することにより画像を形成する画像形成装置において、
前記記録媒体を前記ヘッドユニットの長さ方向と直交する方向に相対的に移動させつつ、前記隣接する短尺ヘッドの重なり部に位置するそれぞれのノズルを使用して、前記隣接する短尺ヘッドのうちの少なくとも一方の短尺ヘッドの使用ノズルの位置をそれぞれ変化させた複数のノズル位置確認用画像と、前記複数の短尺ヘッドのうちの少なくともいずれか一つの短尺ヘッド内の前記重なり部に位置していない複数ノズルを使用して、前記複数のノズル位置確認用画像のうちから選択されるべき適切な画像を示す参照用画像とを、前記記録媒体に記録することを特徴とするノズル位置調整用チャートの作成方法。
【請求項２】
前記参照用画像を、前記短尺ヘッド内の前記重なり部に位置していない隣接するノズルを使用して記録することを特徴とする請求項１記載のノズル位置調整用チャートの作成方法。
【請求項３】
前記ノズル位置確認用画像及び前記参照用画像を、シングルパスで前記記録媒体に記録することを特徴とする請求項１又は２記載のノズル位置調整用チャートの作成方法。
【請求項４】
前記ノズル位置確認用画像及び前記参照用画像は、前記ヘッドユニットの長さ方向に対して斜めとなる斜線画像と、前記ヘッドユニットの長さ方向に沿って所定幅を有する帯状画像と、前記ヘッドユニットの長さ方向と直交する直線画像とのうちの少なくともいずれか１種であることを特徴とする請求項１、２又は３記載のノズル位置調整用チャートの作成方法。
【請求項５】
前記ノズル位置確認用画像及び前記参照用画像は、前記ヘッドユニットの長さ方向に対して斜めとなる斜線画像と、前記ヘッドユニットの長さ方向に沿って所定幅を有する帯状画像又は前記ヘッドユニットの長さ方向と直交する直線画像との組合せであることを特徴とする請求項１、２又は３記載のノズル位置調整用チャートの作成方法。
【請求項６】
前記帯状画像及び前記直線画像を、前記ヘッドユニットの長さ方向と直交する方向に沿って相互にずらして記録することを特徴とする請求項４又は５記載のノズル位置調整用チャートの作成方法。
【請求項７】
前記直線画像の長さ方向の端部に、該直線画像を記録するノズルよりも内側に位置する１又は２以上のノズルを使用して、前記ヘッドユニットの長さ方向に沿って延び、前記隣接する短尺ヘッドのうち当該直線画像を記録した短尺ヘッドがいずれの側の短尺ヘッドであるかを示す目印線を記録することを特徴とする請求項４、５又は６記載のノズル位置調整用チャートの作成方法。
【請求項８】
前記請求項１〜７のいずれかに記載のノズル位置調整用チャートの作成方法により作成された複数のノズル位置確認用画像のうちから、前記参照用画像と同じ又は近似した画像を記録したときの最端部の使用ノズルを、前記隣接する短尺ヘッドの重なり部の使用ノズルの最端部の位置として設定することを特徴とするノズル位置調整方法。
【請求項９】
インクを吐出する多数のノズルが配列された複数の短尺ヘッドを、端部側の複数ノズルが、隣接する短尺ヘッドと互いに重なり合うように配設して構成された長尺のヘッドユニットを有し、前記ヘッドユニットのノズルから記録媒体に向けてインクを吐出することにより画像を形成する画像形成装置において、
前記記録媒体を前記ヘッドユニットの長さ方向と直交する方向に相対的に移動させる移動手段と、
前記移動手段によって前記記録媒体を前記ヘッドユニットの長さ方向と直交する方向に相対的に移動させつつ、前記隣接する短尺ヘッドの重なり部に位置するそれぞれのノズルを使用して、前記隣接する短尺ヘッドのうちの少なくとも一方の短尺ヘッドの使用ノズルの位置をそれぞれ変化させた複数のノズル位置確認用画像と、前記複数の短尺ヘッドうちの少なくともいずれか一つの前記短尺ヘッド内の前記重なり部に位置していない複数ノズルを使用して、前記複数のノズル位置確認用画像のうちから選択されるべき適切な画像を示す参照用画像とを、前記記録媒体に記録する調整用チャート記録手段と、
前記調整用チャート記録手段によって記録された前記複数のノズル位置確認用画像のうちから、前記参照用画像と同じ又は近似した画像を記録したときの最端部の使用ノズルを、前記隣接する短尺ヘッドの重なり部の使用ノズルの最端部の位置として設定されるようユーザーからの入力を受け付ける入力受付手段と、
前記入力受付手段によって受け付けられた入力に対応する前記隣接する短尺ヘッドの重なり部のそれぞれの使用ノズルを、画像形成時の使用ノズルの最端部の位置として設定するノズル設定手段とを備えることを特徴とする画像形成装置。
【請求項１０】
前記調整用チャート記録手段は、前記参照用画像を、前記短尺ヘッド内の前記重なり部に位置していない隣接するノズルを使用して記録することを特徴とする請求項９記載の画像形成装置。
【請求項１１】
前記調整用チャート記録手段は、前記ノズル位置確認用画像及び前記参照用画像を、シングルパスで前記記録媒体に記録することを特徴とする請求項９又は１０記載の画像形成装置。
【請求項１２】
前記ノズル位置確認用画像及び前記参照用画像は、前記ヘッドユニットの長さ方向に対して斜めとなる斜線画像と、前記ヘッドユニットの長さ方向に沿って所定幅を有する帯状画像と、前記ヘッドユニットの長さ方向と直交する直線画像とのうちの少なくともいずれか１種であることを特徴とする請求項９、１０又は１１記載の画像形成装置。
【請求項１３】
前記ノズル位置確認用画像及び前記参照用画像は、前記ヘッドユニットの長さ方向に対して斜めとなる斜線画像と、前記ヘッドユニットの長さ方向に沿って所定幅を有する帯状画像又は前記ヘッドユニットの長さ方向と直交する直線画像との組合せであることを特徴とする請求項９、１０又は１１記載の画像形成装置。
【請求項１４】
前記調整用チャート記録手段は、前記帯状画像及び前記直線画像を、前記ヘッドユニットの長さ方向と直交する方向に沿って相互にずらして記録することを特徴とする請求項１２又は１３記載の画像形成装置。
【請求項１５】
前記調整用チャート記録手段は、前記直線画像の長さ方向の端部に、該直線画像を記録するノズルよりも内側に位置する１又は２以上のノズルを使用して、前記ヘッドユニットの長さ方向に沿って延び、前記隣接する短尺ヘッドのうち当該直線画像を記録した短尺ヘッドがいずれの側の短尺ヘッドであるかを示す目印線を記録することを特徴とする請求項１２、１３又は１４記載の画像形成装置。
【発明の詳細な説明】
【技術分野】
【０００１】
本発明はノズル位置調整用チャートの作成方法、ノズル位置調整方法及び画像形成装置に関し、詳しくは、複数の短尺ヘッドを用いて構成された長尺のヘッドユニットにおける短尺ヘッド間の画像のつながり具合が適切となるように使用ノズルを容易に調整可能なノズル位置調整用チャートの作成方法、ノズル位置調整方法及び画像形成装置に関する。
【背景技術】
【０００２】
ノズルから吐出されるインク滴により画像を形成するインクジェットヘッドには、複数の短尺ヘッドを、端部側の複数ノズルが隣接する短尺ヘッドと互いに重なり合うように配設して１つの長尺なヘッドユニットを構成したものがある。この場合、隣接する短尺ヘッド間での画像のつながりを目立たなくするため、工場出荷時に、図２０に示すように、例えば顕微鏡観察等によって、隣接する短尺ヘッドＨ１、Ｈ２の重なり部において、それぞれのノズルｈ１、ｈ２のノズルピッチＰがヘッドユニット全体で等ピッチとなるように、各短尺ヘッドＨ１、Ｈ２の位置を厳密に調整する必要がある。
【０００３】
しかし、このような短尺ヘッドの厳密な位置調整は画質的には望ましいが、調整のための機構を配置することによるヘッドユニットの大型化、必要な機構的精度、調整にかかるコストの問題のみならず、短尺ヘッド１個が破損した場合でもヘッドユニット全体を交換しなくてはならないといった種々の問題を抱えている。
【０００４】
そこで、このような問題を解消するため、隣接する短尺ヘッド間のノズル位置を厳密に調整することなく複数の短尺ヘッドを固定的に配設し、隣接する短尺ヘッドのうちの一方の短尺ヘッドの重なり部に位置するノズルによる線画像の記録と、他方の短尺ヘッドの重なり部に位置する少なくとも１つのノズルによる線画像の記録とを行い、得られた記録パターンから、隣接する短尺ヘッド間のノズルの継ぎ目位置を検出する技術（特許文献１）や、隣接する短尺ヘッドを用いて帯状画像をそれぞれ記録し、各帯状画像の間に形成される隙間又は画像の重なり部分を確認することにより、隣接する短尺ヘッド間の使用ノズルの位置調整を行う技術（特許文献２）が知られている。
【０００５】
また、この他、隣接する短尺ヘッドの一方の重なり部では使用する記録ドットを徐々に減少し、他方の重なり部では使用する記録ドットを徐々に増加するように記録することで、隣接する短尺ヘッドの継ぎ目部分での画像が非連続となることを防止する技術（特許文献３）も提案されている。
【特許文献１】特開２００７−７９６５７号公報
【特許文献２】米国特許第６７７３０８６号公報
【特許文献３】特開平５−５７９６５号公報
【発明の開示】
【発明が解決しようとする課題】
【０００６】
ユーザーは記録された調整用チャートの画像を目視によって確認し、そのうちから適切なノズル位置を判別しなくてはならない。しかし、特許文献１、２に記載のようにノズル位置を確認用の画像として直線画像や帯状画像を単に記録しても、使用する記録媒体によってインク滴の広がり方に違いがあったり、記録するパターンによって画像の見え方が異なったりするため、適切なノズル位置を検出することが困難である。特に、どの画像が適切なノズルピッチとなるように記録された画像であるのかを判断する基準がないため、適切な画像の判別に熟練を要する等の問題があった。
【０００７】
そこで、本発明の課題は、複数の短尺ヘッドによって構成される長尺なヘッドユニットにおいて、隣接する短尺ヘッドの重なり部の適切なノズル位置を容易に判別できるノズル位置調整用チャートの作成方法を提供することにある。
【０００８】
本発明の他の課題は、複数の短尺ヘッドによって構成される長尺なヘッドユニットにおいて、隣接する短尺ヘッドの重なり部の適切なノズル位置を容易に判別でき、高価な調整機構や出荷時の位置合わせ調整作業を必要としないノズル位置調整方法を提供することにある。
【０００９】
本発明の更に他の課題は、隣接する短尺ヘッドの重なり部の適切なノズル位置を容易に確認でき、高価な調整機構や出荷時の位置合わせ調整作業を必要とせずに、複数の短尺ヘッドによって構成される長尺なヘッドユニットにおける短尺ヘッド間のノズル位置調整が可能であり、短尺ヘッドの重なり部分の画質劣化が抑えられた画像形成が可能な画像形成装置を提供することにある。
【００１０】
更に、本発明の他の課題は、以下の記載により明らかとなる。
【課題を解決するための手段】
【００１１】
上記課題は、以下の各発明によって解決される。
【００１２】
請求項１記載の発明は、インクを吐出する多数のノズルが配列された複数の短尺ヘッドを、端部側の複数ノズルが、隣接する短尺ヘッドと互いに重なり合うように配設して構成された長尺のヘッドユニットを有し、前記ヘッドユニットのノズルから記録媒体に向けてインクを吐出することにより画像を形成する画像形成装置において、前記記録媒体を前記ヘッドユニットの長さ方向と直交する方向に相対的に移動させつつ、前記隣接する短尺ヘッドの重なり部に位置するそれぞれのノズルを使用して、前記隣接する短尺ヘッドのうちの少なくとも一方の短尺ヘッドの使用ノズルの位置をそれぞれ変化させた複数のノズル位置確認用画像と、前記複数の短尺ヘッドのうちの少なくともいずれか一つの短尺ヘッド内の前記重なり部に位置していない複数ノズルを使用して、前記複数のノズル位置確認用画像のうちから選択されるべき適切な画像を示す参照用画像とを、前記記録媒体に記録することを特徴とするノズル位置調整用チャートの作成方法である。
【００１３】
請求項２記載の発明は、前記参照用画像を、前記短尺ヘッド内の前記重なり部に位置していない隣接するノズルを使用して記録することを特徴とする請求項１記載のノズル位置調整用チャートの作成方法である。
【００１４】
請求項３記載の発明は、前記ノズル位置確認用画像及び前記参照用画像を、シングルパスで前記記録媒体に記録することを特徴とする請求項１又は２記載のノズル位置調整用チャートの作成方法である。
【００１５】
請求項４記載の発明は、前記ノズル位置確認用画像及び前記参照用画像は、前記ヘッドユニットの長さ方向に対して斜めとなる斜線画像と、前記ヘッドユニットの長さ方向に沿って所定幅を有する帯状画像と、前記ヘッドユニットの長さ方向と直交する直線画像とのうちの少なくともいずれか１種であることを特徴とする請求項１、２又は３記載のノズル位置調整用チャートの作成方法である。
【００１６】
請求項５記載の発明は、前記ノズル位置確認用画像及び前記参照用画像は、前記ヘッドユニットの長さ方向に対して斜めとなる斜線画像と、前記ヘッドユニットの長さ方向に沿って所定幅を有する帯状画像又は前記ヘッドユニットの長さ方向と直交する直線画像との組合せであることを特徴とする請求項１、２又は３記載のノズル位置調整用チャートの作成方法である。
【００１７】
請求項６記載の発明は、前記帯状画像及び前記直線画像を、前記ヘッドユニットの長さ方向と直交する方向に沿って相互にずらして記録することを特徴とする請求項４又は５記載のノズル位置調整用チャートの作成方法である。
【００１８】
請求項７記載の発明は、前記直線画像の長さ方向の端部に、該直線画像を記録するノズルよりも内側に位置する１又は２以上のノズルを使用して、前記ヘッドユニットの長さ方向に沿って延び、前記隣接する短尺ヘッドのうち当該直線画像を記録した短尺ヘッドがいずれの側の短尺ヘッドであるかを示す目印線を記録することを特徴とする請求項４、５又は６記載のノズル位置調整用チャートの作成方法である。
【００１９】
請求項８記載の発明は、前記請求項１〜７のいずれかに記載のノズル位置調整用チャートの作成方法により作成された複数のノズル位置確認用画像のうちから、前記参照用画像と同じ又は近似した画像を記録したときの最端部の使用ノズルを、前記隣接する短尺ヘッドの重なり部の使用ノズルの最端部の位置として設定することを特徴とするノズル位置調整方法である。
【００２０】
請求項９記載の発明は、インクを吐出する多数のノズルが配列された複数の短尺ヘッドを、端部側の複数ノズルが、隣接する短尺ヘッドと互いに重なり合うように配設して構成された長尺のヘッドユニットを有し、前記ヘッドユニットのノズルから記録媒体に向けてインクを吐出することにより画像を形成する画像形成装置において、前記記録媒体を前記ヘッドユニットの長さ方向と直交する方向に相対的に移動させる移動手段と、前記移動手段によって前記記録媒体を前記ヘッドユニットの長さ方向と直交する方向に相対的に移動させつつ、前記隣接する短尺ヘッドの重なり部に位置するそれぞれのノズルを使用して、前記隣接する短尺ヘッドのうちの少なくとも一方の短尺ヘッドの使用ノズルの位置をそれぞれ変化させた複数のノズル位置確認用画像と、前記複数の短尺ヘッドうちの少なくともいずれか一つの前記短尺ヘッド内の前記重なり部に位置していない複数ノズルを使用して、前記複数のノズル位置確認用画像のうちから選択されるべき適切な画像を示す参照用画像とを、前記記録媒体に記録する調整用チャート記録手段と、前記調整用チャート記録手段によって記録された前記複数のノズル位置確認用画像のうちから、前記参照用画像と同じ又は近似した画像を記録したときの最端部の使用ノズルを、前記隣接する短尺ヘッドの重なり部の使用ノズルの最端部の位置として設定されるようユーザーからの入力を受け付ける入力受付手段と、前記入力受付手段によって受け付けられた入力に対応する前記隣接する短尺ヘッドの重なり部のそれぞれの使用ノズルを、画像形成時の使用ノズルの最端部の位置として設定するノズル設定手段とを備えることを特徴とする画像形成装置である。
【００２１】
請求項１０記載の発明は、前記調整用チャート記録手段は、前記参照用画像を、前記短尺ヘッド内の前記重なり部に位置していない隣接するノズルを使用して記録することを特徴とする請求項９記載の画像形成装置である。
【００２２】
請求項１１記載の発明は、前記調整用チャート記録手段は、前記ノズル位置確認用画像及び前記参照用画像を、シングルパスで前記記録媒体に記録することを特徴とする請求項９又は１０記載の画像形成装置である。
【００２３】
請求項１２記載の発明は、前記ノズル位置確認用画像及び前記参照用画像は、前記ヘッドユニットの長さ方向に対して斜めとなる斜線画像と、前記ヘッドユニットの長さ方向に沿って所定幅を有する帯状画像と、前記ヘッドユニットの長さ方向と直交する直線画像とのうちの少なくともいずれか１種であることを特徴とする請求項９、１０又は１１記載の画像形成装置である。
【００２４】
請求項１３記載の発明は、前記ノズル位置確認用画像及び前記参照用画像は、前記ヘッドユニットの長さ方向に対して斜めとなる斜線画像と、前記ヘッドユニットの長さ方向に沿って所定幅を有する帯状画像又は前記ヘッドユニットの長さ方向と直交する直線画像との組合せであることを特徴とする請求項９、１０又は１１記載の画像形成装置である。
【００２５】
請求項１４記載の発明は、前記調整用チャート記録手段は、前記帯状画像及び前記直線画像を、前記ヘッドユニットの長さ方向と直交する方向に沿って相互にずらして記録することを特徴とする請求項１２又は１３記載の画像形成装置である。
【００２６】
請求項１５記載の発明は、前記調整用チャート記録手段は、前記直線画像の長さ方向の端部に、該直線画像を記録するノズルよりも内側に位置する１又は２以上のノズルを使用して、前記ヘッドユニットの長さ方向に沿って延び、前記隣接する短尺ヘッドのうち当該直線画像を記録した短尺ヘッドがいずれの側の短尺ヘッドであるかを示す目印線を記録することを特徴とする請求項１２、１３又は１４記載の画像形成装置である。
【発明の効果】
【００２７】
本発明に係るノズル位置調整用チャートの作成方法によれば、複数の短尺ヘッドによって構成される長尺なヘッドユニットにおいて、隣接する短尺ヘッドの重なり部の適切なノズル位置を容易に判別することができる。
【００２８】
また、本発明に係るノズル位置調整方法によれば、複数の短尺ヘッドによって構成される長尺なヘッドユニットにおいて、隣接する短尺ヘッドの重なり部の適切なノズル位置を容易に判別でき、高価な調整機構や出荷時の位置合わせ調整作業を必要とせずに、短尺ヘッドの重なり部のノズル位置調整を行うことができる。
【００２９】
更に、本発明に係る画像形成装置によれば、隣接する短尺ヘッドの重なり部の適切なノズル位置を容易に確認でき、高価な調整機構や出荷時の位置合わせ調整作業を必要とせずに、複数の短尺ヘッドによって構成される長尺なヘッドユニットにおける短尺ヘッド間のノズル位置調整が可能であり、短尺ヘッドの重なり部分の画質劣化が抑えられた画像形成が可能な画像形成装置を提供することができる。
【発明を実施するための最良の形態】
【００３０】
以下、本発明の実施の形態について図面を用いて説明する。
【００３１】
まず、画像形成装置におけるノズル位置調整用チャートの作成方法について説明する。
【００３２】
図１は、画像形成装置の画像記録部の概略構成を示す平面図であり、図中、１はヘッドユニット、Ｓは記録媒体である。ヘッドユニット１は、複数の短尺ヘッド１Ａ〜１Ｆをそのノズル列方向に沿って平行に並べて配設することにより形成されている。ここでは６つの短尺ヘッド１Ａ〜１Ｆによって１つのヘッドユニット１を構成しているが、短尺ヘッドの数は何ら限定されない。
【００３３】
各短尺ヘッド１Ａ〜１Ｆは同一構成であるため、代表して短尺ヘッド１Ａ、１Ｂの重なり部分の構成について図２を用いて説明する。
【００３４】
図２は、短尺ヘッド１Ａと１Ｂとの重なり部分をノズル側から見た拡大図であり、各短尺ヘッド１Ａ、１Ｂの各々には、多数のノズル１ａ、１ｂが等ピッチで一列に配列されている。隣接する２つの短尺ヘッド１Ａ、１Ｂは、それぞれの端部側の複数ノズル１ａ−１〜１ａ−４、ノズル１ｂ−１〜１ｂ−４が互いに重なり合うようにして、各短尺ヘッド１Ａ、１Ｂ…のノズル列方向に沿って千鳥状に配設されることで長尺なヘッドユニット１を構成している。
【００３５】
このヘッドユニット１は、記録媒体Ｓの幅よりもやや長く形成され、ノズル面が記録媒体Ｓに面するように該記録媒体Ｓの幅方向（図示左右方向）に亘って架設されたラインヘッドを構成しており、不図示の移動手段によって図１中の下方向に沿って一定速度で搬送される記録媒体Ｓに向けて、ノズルから所定のタイミングでインク滴を吐出することによって、記録媒体Ｓの幅一杯に亘ってワンパスでインクジェット画像を形成するようになっている。
【００３６】
ここで、ヘッドユニット１の各短尺ヘッド１Ａ〜１Ｆは、隣接する短尺ヘッド１Ａ、１Ｂ・・・が厳密に位置調整されずに配置され、図示しない固定部材によって固定されている。このため、図２に代表的に示されるように、短尺ヘッド１Ａと１Ｂとの重なり部２に位置するそれぞれ複数のノズル１ａ−１〜１ａ−４とノズル１ｂ−１〜１ｂ−４との位置は必ずしも一致しておらず、この重なり部２において画像のつながりが悪くなるおそれがある。
【００３７】
従って、ヘットユニット１によって記録媒体Ｓに対して実際に画像形成を行う前に、このような短尺ヘッド１Ａ、１Ｂの重なり部２に位置する複数のノズル１ａ−１〜１ａ−４及びノズル１ｂ−１〜１ｂ−４のうちで、画像のつながりが目立たないように画像形成できる各短尺ヘッド１Ａ、１Ｂの使用ノズルの最端部の位置を適切に把握し、各短尺ヘッド１Ａ〜１Ｆのそれぞれの重なり部２における最端部の使用ノズルとして設定してやる必要があり、そのために調整用チャートが作成される。なお、使用ノズルとは、各短尺ヘッド１Ａ〜１Ｆに設けられたノズルのうち画像形成時に使用されるノズルである。
【００３８】
この使用ノズルの最端部の位置を適切に把握するための調整用チャートについて、隣接する２つの短尺ヘッド１Ａ、１Ｂを例にとって説明する。
【００３９】
図３は調整用チャートの一例を示す平面図である。調整用チャートは、記録媒体Ｓを所定の一定速度で移動させながらインク滴を吐出することによりヘッドユニット１の長さ方向に対して斜めとなる斜線によって形成される斜線画像１１と、ヘッドユニット１の長さ方向に沿って所定幅を有する帯状に形成される帯状画像１２とからなる組を、使用ノズルの位置を変化させながら複数記録したノズル位置確認用画像１０と、これらノズル位置確認用画像１０と同様の斜線画像２１と帯状画像２２とからなる組を、ノズル位置確認用画像１０の横に対比されるように記録した参照用画像２０とを有している。
【００４０】
ここでは、斜線画像１１、２１は帯状画像１２、２２を間に挟むように逆くの字状に記録されているが、帯状画像１２、２２の上側又は下側のいずれか一方のみに形成されるようにしてもよい。
【００４１】
また、ノズル位置確認用画像１０は、ここでは１０−１〜１０−５の５つ記録されているが、その数は隣接する短尺ヘッド１Ａ、１Ｂの重なり部２に位置するノズル数に応じて適宜決定されるものであり、何ら限定されない。
【００４２】
ノズル位置確認用画像１０における斜線画像１１と帯状画像１２の各々は、短尺ヘッド１Ａにおける隣接する短尺ヘッド１Ｂとの重なり部２に位置するノズルを少なくとも含む連続する複数ノズルを使用して記録される斜線部１１Ａ、帯状部１２Ａと、短尺ヘッド１Ｂにおける隣接する短尺ヘッド１Ａとの重なり部に位置するノズルを少なくとも含む連続する複数ノズルを使用して記録される斜線部１１Ｂ、帯状部１２Ｂとによって構成されている。
【００４３】
なお、図３において、符号３は、複数のノズル位置確認用画像１０−１〜１０−５の各々に付されたチャート選択記号であり、ノズル位置確認用画像１０−１〜１０−５及び参照用画像２０と同時に記録される。チャート選択記号３は、ノズル位置確認用画像１０−１〜１０−５の各々を識別して選択可能であれば、図示する数字に限らず、その他の文字、図形等の記号であってもよい。
【００４４】
このうちのノズル位置確認用画像１０における斜線画像１１の作成方法について図４〜図８を用いて説明する。
【００４５】
図４〜図８では、短尺ヘッド１Ａは、短尺ヘッド１Ｂとの重なり部２側の端部に位置する８ノズル（ノズル１ａ−１〜１ａ−８）が示されており、短尺ヘッド１Ｂは、短尺ヘッド１Ａとの重なり部２側の端部に位置する８ノズル（ノズル１ｂ−１〜１ｂ−８）が示されている。ここでは、短尺ヘッド１Ａについて、端部側のノズルを最端部に位置するノズル１ａ−８まで使用して斜線画像１１を記録するものとする。つまり、短尺ヘッド１Ａについては、使用ノズルの最端部の位置は、短尺ヘッド１Ａの最端部のノズル１ａ−１に固定するものとする。
【００４６】
ノズル位置確認用画像１０の斜線画像１１は、記録媒体Ｓをヘッドユニット１の長さ方向と直交する方向に移動させつつ、これら隣接する短尺ヘッド１Ａ、１Ｂのそれぞれの重なり部２のノズルを少なくとも含む連続するノズル１ａ−１〜１ａ−８、ノズル１ｂ−１〜１ｂ−８を使用して記録される。このとき、短尺ヘッド１Ｂの各ノズル１ｂ−１〜１ｂ−８について、斜線画像１１の斜線部１１Ｂを記録するために使用するノズルを、重なり部２側の最端部のノズル１ｂ−１から１ノズルずつ減らすように（最端部のノズル１ｂ−１から１ノズルずつ不使用ノズルを増やすように）変化させた複数の斜線画像１１を記録する。
【００４７】
すなわち、図４に示されるノズル位置確認用画像１０−１の斜線画像１１は、短尺ヘッド１Ｂの重なり部２側の最端部のノズル１ｂ−１からノズル１ｂ−８まで全て使用して記録した画像であり、図５に示されるノズル位置確認用画像１０−２の斜線画像１１は、短尺ヘッド１Ｂの重なり部２側の最端部のノズル１ｂ−１を不使用にしてノズル１ｂ−２からノズル１ｂ−８まで使用して記録した画像であり、図６に示されるノズル位置確認用画像１０−３の斜線画像１１は、短尺ヘッド１Ｂの重なり部２側のノズル１ｂ−１、１ｂ−２の２ノズルを不使用にしてノズル１ｂ−３からノズル１ｂ−８まで使用して記録した画像であり、図７に示されるノズル位置確認用画像１０−４の斜線画像１１は、短尺ヘッド１Ｂの重なり部２側のノズル１ｂ−１、１ｂ−２、１ｂ−３の３ノズルを不使用にしてノズル１ｂ−４からノズル１ｂ−８まで使用して記録した画像であり、図８に示されるノズル位置確認用画像１０−５の斜線画像１１は、短尺ヘッド１Ｂの重なり部２側のノズル１ｂ−１、１ｂ−２、１ｂ−３、１ｂ−４の４ノズルを不使用にしてノズル１ｂ−５からノズル１ｂ−８まで使用して記録した画像である。
【００４８】
次に、ノズル位置確認用画像１０における帯状画像１２の作成方法について図９〜図１３を用いて説明する。ここでも、図４〜図８の場合と同様、短尺ヘッド１Ａは、端部側のノズルを最端部に位置するノズル１ａ−８まで使用したものである。
【００４９】
ノズル位置確認用画像１０の帯状画像１２は、記録媒体Ｓをヘッドユニット１の長さ方向と直交する方向に移動させつつ、ノズル位置確認用画像１０−１〜１０−５の各斜線画像１１を記録した際に使用した各短尺ヘッド１Ａ、１Ｂの最端部のノズルと、それよりも各短尺ヘッド１Ａ、１Ｂの各々の内側に隣接する複数ノズルを使用して所定幅の帯状に記録される。
【００５０】
すなわち、図９に示されるノズル位置確認用画像１０−１の帯状画像１２は、短尺ヘッド１Ｂの重なり部２側の最端部のノズル１ｂ−１から連続する複数ノズルを使用して記録した画像であり、図１０に示されるノズル位置確認用画像１０−２の帯状画像１２は、短尺ヘッド１Ｂの重なり部２側の最端部のノズル１ｂ−１を不使用にしてノズル１ｂ−２から連続する複数ノズルを使用して記録した画像であり、図１１に示されるノズル位置確認用画像１０−３の帯状画像１２は、短尺ヘッド１Ｂの重なり部２側のノズル１ｂ−１、１ｂ−２を不使用にしてノズル１ｂ−３から連続する複数ノズルを使用して記録した画像であり、図１２に示されるノズル位置確認用画像１０−４の帯状画像１２は、短尺ヘッド１Ｂの重なり部２側のノズル１ｂ−１、１ｂ−２、１ｂ−３を不使用にしてノズル１ｂ−４から連続する複数ノズルを使用して記録した画像であり、図１３に示されるノズル位置確認用画像１０−５の帯状画像１２は、短尺ヘッド１Ｂの重なり部２側のノズル１ｂ−１、１ｂ−２、１ｂ−３、１ｂ−４を不使用にしてノズル１ｂ−５から連続する複数ノズルを使用して記録した画像である。
【００５１】
帯状画像１２は、帯状部１２Ａ、１２Ｂがヘッドユニット１の長さ方向と直交する方向に沿って相互にずらして記録されている。つまり、短尺ヘッド１Ａと１Ｂは、ヘッドユニット１の長さ方向と直交する方向の位置が相互にずれて配置されているが、帯状部１２Ａ、１２Ｂも、短尺ヘッド１Ａ、１Ｂの配置に対応するように相互にずれて記録されている。従って、図３の例では、上方にずれている方の帯状部が短尺ヘッド１Ｂによって記録された帯状部２０Ｂであると判別でき、各帯状部１２Ａ、１２Ｂがいずれの短尺ヘッド１Ａ、１Ｂで記録されたものであるのかが一目瞭然となり、画像の重なり具合の判別を良好とすることができる。
【００５２】
次に、参照用画像２０について図１４及び図１５を用いて説明する。図１４は斜線画像２１の作成方法を示し、図１５は帯状画像２２の作成方法を示している。
【００５３】
参照用画像２０は、短尺ヘッド１Ｂにおける重なり部２に位置していない複数のノズル１ｂ−ｎ〜１ｂ−ｎ＋１２を使用して、ノズル位置確認用画像１０と同様の斜線画像２１と帯状画像２２との組が記録される。これら斜線画像２１、帯状画像２２を記録するために使用するノズル数は、ノズル位置確認用画像１０の斜線画像１１、各帯状画像１２を記録するために使用する総ノズル数と同一又は近い数である。
【００５４】
この参照用画像２０は、隣接する短尺ヘッド１Ａ、１Ｂの重なり部２に位置するノズルを使用せずに記録されるため、均等なノズルピッチによって記録された均等なドットピッチの画像であり、各ノズル位置確認用画像１０−１〜１０−５のうちから選択されるべき適切な画像を示している。つまり、各ノズル位置確認用画像１０−１〜１０−５のうち、参照用画像２０と同一又は最も近似した画像を選択すれば、隣接する短尺ヘッド１Ａ、１Ｂの重なり部２における画像のつながりが目立たない良質な画像形成が行える使用ノズルの最端部の位置が判ることになる。
【００５５】
この参照用画像２０は、隣接する短尺ヘッド１Ａ、１Ｂの重なり部２に位置していない複数ノズル、好ましくは図示するように隣接する複数のノズルを使用して記録すればよく、短尺ヘッド１Ｂに限らず短尺ヘッド１Ａを使用してもよいし、短尺ヘッド１Ａ及び１Ｂの双方を使用して、ノズル位置確認用画像１０を間に挟むように記録してもよい。また、参照用画像２０は、図３に示されるように各ノズル位置確認用画像１０−１〜１０−５に対応するように記録されることが、適切な画像判別の容易化の観点からは好ましいが、ノズル位置確認用画像１０との対比が可能であれば、必ずしも各ノズル位置確認用画像１０−１〜１０−５に１対１に対応させなくてもよく、複数のノズル位置確認用画像１０−１〜１０−５に対して１つ記録するだけでもよい。
【００５６】
参照用画像２０における帯状画像２２は、同一の短尺ヘッド１Ｂによって記録されるが、図１５に示されるように、ノズル位置確認用画像１０における帯状画像１２の帯状部１２Ａ、１２Ｂと同様の形態をした帯状部２２１、２２２を有している。これら帯状部２２１、２２２も、帯状部１２Ａ、１２Ｂと同様、ヘッドユニット１の長さ方向と直交する方向に沿って相互にずらして記録すると、ノズル位置確認用画像１０との対比がより容易となるために好ましい。
【００５７】
これらノズル位置確認用画像１０と参照用画像２０は、共に同一の記録媒体Ｓに対してシングルパスで記録される。すなわち、ヘッドユニット１が記録媒体Ｓに対して相対的に１回だけ走査移動する過程で、ノズル位置確認用画像１０と参照用画像２０とが記録媒体Ｓに同時に記録される。参照用画像２０は、隣接する短尺ヘッド１Ａ、１Ｂの重なり部２に位置していないノズルを用いて記録できるからである。また、ノズル位置確認用画像１０と参照用画像２０とを複数パスで記録しようとすると、搬送誤差によって記録位置がずれる要因が入り、適切な画像の確認ができなくなる問題があるが、このようにノズル位置確認用画像１０と参照用画像２０とをシングルパスで記録することによって、ノズル位置確認用画像１０と参照用画像２０との間に搬送誤差に起因する問題が発生することはなく、適切な画像の確認が可能である。
【００５８】
次に、かかる調整用チャートを用いた画像形成装置におけるノズル位置調整方法について説明する。
【００５９】
実際の使用ノズルの最端部の位置を決定するに際しては、この調整用チャートをユーザーが目視確認することにより、各ノズル位置確認用画像１０−１〜１０−５のうちで、参照用画像２０と同一又は最も近似した形状が記録されている画像を選択する。図３に示す例では、ノズル位置確認用画像１０−３が参照用画像２０に最も近く、比較的良好な画像であると判別できるため、このノズル位置確認用画像１０−３に対応するチャート選択記号「２」を選択すればよいことになる。このような画像の判別は、同一の記録媒体Ｓ上に、適切な画像を示す参照用画像２０が対比されるように記録されているため容易に行うことができる。
【００６０】
図１６はインクジェットプリンタの概略構成を示すブロック図であり、図中、１００は制御部、１０１Ａ〜１０１Ｆは各短尺ヘッド１Ａ〜１Ｆに対応するヘッドドライバ、１０２はチャート用データ記憶部、１０３はヘッド駆動用データ記憶部、１０４は入力部、１０５は記録媒体Ｓをヘッドユニット１の長さ方向と直交する方向に沿って移動させるための副走査モータである。
【００６１】
ヘッドユニット１の各短尺ヘッド１Ａ〜１Ｆは、制御部１００からの制御信号によって駆動制御される対応するヘッドドライバ１０１Ａ〜１０１Ｆによって各ノズルからのインク滴の吐出が制御される。調整用チャートの作成時は、副走査モータ１０５の駆動によって一定速度で移動される記録媒体Ｓに対し、チャート用データ記憶部１０２に記憶されているデータに基づいて、制御部１００が各ヘッドドライバ１０１Ａ〜１０１Ｆを駆動制御して、所定のノズルから所定のタイミングでインク滴を吐出することにより、図３に示す調整用チャートを記録媒体Ｓに記録するようになっている。
【００６２】
この調整用チャートの記録時、チャート選択記号「０」〜「４」に対応する各ノズル位置確認用画像１０−１〜１０−５を記録するために使用したノズルの最端部の位置データを、チャート用データ記憶部１０２等に記憶しておくことで、例えば図６に示すように、調整用チャートのチャート選択記号「０」〜「４」とそのときの各短尺ヘッド１Ａ、１Ｂの使用ノズルの最端部の位置データとを対応づけして一旦記憶しておく。
【００６３】
図３に示す調整用チャートでは、上述したようにチャート選択記号「２」に対応する組が適切であると判別できるため、ユーザーはこのチャート選択記号「２」の組を記録した時の使用ノズルの最端部の位置を、隣接する短尺ヘッド１Ａ、１Ｂの重なり部２の使用ノズルの最端部の位置として設定すればよいことになる。
【００６４】
この使用ノズル位置の設定には、インクジェットプリンタに設けられたユーザーからの入力を受け付けるタッチパネル等からなる入力部１０４が用いられる。ユーザーがこの入力部１０４からチャート選択記号「２」を入力すると、制御部１００は、チャート選択記号「２」の組を記録した時の使用ノズルの最端部の位置データをチャート用データ記憶部１０２等から読み出し、そのノズル位置データを画像形成時に使用する短尺ヘッド１Ａ、１Ｂ間の重なり部２における使用ノズルの最端部の位置データとして、ヘッド駆動用データ記憶部１０３に記憶させ設定する。
【００６５】
これにより、高価な調整機構や出荷時の位置合わせ調整作業を必要とせずに、図３に示す調整用チャートを確認して入力部１０４からチャート選択記号を設定するだけの簡単操作で、短尺ヘッド１Ａ、１Ｂ間の画像のつなぎ目を良好にすることができる。
【００６６】
また、このような調整作業を可能とする画像形成装置によれば、隣接する短尺ヘッドの重なり部の適切なノズル位置を容易に確認でき、高価な調整機構や出荷時の位置合わせ調整作業を必要とせずに、複数の短尺ヘッドによって構成される長尺なヘッドユニット１における隣接する短尺ヘッド間のノズル位置調整が可能であり、隣接する短尺ヘッドの重なり部分の画質劣化が抑えられた画像形成が可能となる。
【００６７】
以上の作業は、ヘッドユニット１の他の隣接する短尺ヘッド間においても同様に実行することにより、ヘッドユニット１全体として、画像のつなぎ目が目立たない良質の画像形成が可能となる。調整用チャートは、ヘッドユニット１の全ての隣接する短尺ヘッド間の調整用チャートを同一の記録媒体Ｓに同時に記録するようにしてもよい。
【００６８】
図１８は、調整用チャートの他の態様を示しており、この調整用チャートは、図３に示した調整用チャートにおける帯状画像１２、２２に代えて、ヘッドユニット１の長さ方向と直交する直線画像１３、２３を記録した例である。図３と同一符号は同一構成であるので詳細な説明は省略する。
【００６９】
ノズル位置確認用画像１０−１〜１０−５における直線画像１３は、記録媒体Ｓをヘッドユニット１の長さ方向と直交する方向に移動させつつ、隣接する短尺ヘッド１Ａ、１Ｂのそれぞれの重なり部２に位置する複数ノズルのうちのいずれか１ノズルを使用して記録されるものであり、短尺ヘッド１Ａによって記録される直線部１３Ａと短尺ヘッド１Ｂによって記録される直線部１３Ｂとからなる。
【００７０】
ここでは、短尺ヘッド１Ａについては、直線部１３Ａを記録するノズルを短尺ヘッド１Ａの最端部に位置するノズル１ａ−１のみ使用し、短尺ヘッド１Ｂについて、直線画像１３の直線部１３Ｂを記録するために使用するノズルを、重なり部２側の最端部のノズル１ｂ−１から１ノズルずつ内側（短尺ヘッド１Ａとは反対側）にずらして記録する。
【００７１】
この直線画像１３も、帯状画像１２と同様の理由から、それぞれの直線部１３Ａ、１３Ｂがヘッドユニット１の長さ方向と直交する方向に沿って相互にずらして記録されることが好ましい。
【００７２】
同様に、参照用画像２０における直線画像２３は、短尺ヘッド１Ｂにおける重なり部２に位置していない２つのノズルを使用して記録される。
【００７３】
また、直線画像１３は、図１９に示すように、直線画像１３の各直線部１３Ａ、１３Ｂの長さ方向（図示上下方向）の少なくとも一方端部に、直線部１３Ａ、１３Ｂを記録するノズルよりも、短尺ヘッド１Ａ、１Ｂのそれぞれの内側に位置する１又は２以上のノズルを使用して、ヘッドユニット１の長さ方向に沿って延びる目印線１４Ａ、１４Ｂを同時に記録することも好ましい。これにより、直線部１３Ａには図示左側に目印線１４Ａが引き出されているから、この直線部１３Ａは、図示左側に配置されている短尺ヘッド１Ａによって記録されたものであることが判り、隣接する短尺ヘッド１Ａ、１Ｂのうち当該直線部１３Ａ、１３Ｂを記録した短尺ヘッドがいずれの側の短尺ヘッドであるかが一目瞭然となり、ノズル位置の確認をより容易化することができる。
【００７４】
このような目印線は、参照用画像２０における直線画像２３にも同様に記載すると、直線画像１３との対比が容易となるために好ましい。
【００７５】
以上の各態様では、隣接する短尺ヘッド１Ａ、１Ｂのうち、一方の短尺ヘッド１Ａの使用ノズルを最端部に設けられているノズル１ａ−１に固定し、他方の短尺ヘッド１Ｂの使用ノズルを変化させることによって調整用チャートを記録したが、隣接する短尺ヘッド１Ａ、１Ｂの重なり部２に位置する双方のノズル１ａ−１…、１ｂ−１…を共に１ノズルずつ変化させるようにして調整用チャートを記録するようにしてもよい。
【００７６】
また、ノズル位置確認用画像１０は、ここでは斜線画像１１と帯状画像１２との組、又は斜線画像１１と直線画像１３との組を記録するようにした。これは、次の理由による。すなわち、画像形成時のベタ画像に白スジが発生すると画質的に非常に目立つため、隣接する短尺ヘッド１Ａ、１Ｂ間の帯状画像１２の帯状部１２Ａ、１２Ｂ又は直線画像１３の直線部１３Ａ、１３Ｂは隙間が開かないようにすることが望ましいが、重なりすぎの調整を行うと、画像形成時に斜線が一直線にならない不具合が発生する問題がある。ノズル位置確認用画像１０を斜線画像１１と帯状画像１２との組又は斜線画像１１と直線画像１３との組とすることにより、短尺ヘッド１Ａ、１Ｂ間で白スジが発生せず、且つ、斜線のつながり具合も最適となる画像を一度に確認することができ、本発明において好ましい態様である。
【００７７】
しかし、ノズル位置確認用画像１０は、斜線画像１１、帯状画像１２、直線画像１３の少なくとも１種を記録すればよく、同一の記録媒体Ｓに同種の参照用画像２０を対比可能に記録することにより、適切なノズル位置を容易に選択することができる。
【００７８】
更に、記録媒体Ｓはヘッドユニット１の長さ方向と直交する方向に相対的に移動可能であればよい。従って、停止した記録媒体Ｓに対してヘッドユニット１が移動してもよく、記録媒体Ｓとヘッドユニット１の双方が共に移動するようにしてもよい。
【００７９】
また、ヘッドユニット１を構成する各短尺ヘッド１Ａ〜１Ｆは、１列のノズル列を有するものに限らず、複数列のノズル列を有するものであってもよい。
【図面の簡単な説明】
【００８０】
【図１】画像形成装置の画像記録部の概略構成を示す平面図
【図２】隣接する短尺ヘッドの重なり部分をノズル側から見た拡大図
【図３】調整用チャートの一例を示す平面図
【図４】ノズル位置確認用画像における斜線画像の作成方法を説明する図
【図５】ノズル位置確認用画像における斜線画像の作成方法を説明する図
【図６】ノズル位置確認用画像における斜線画像の作成方法を説明する図
【図７】ノズル位置確認用画像における斜線画像の作成方法を説明する図
【図８】ノズル位置確認用画像における斜線画像の作成方法を説明する図
【図９】ノズル位置確認用画像における帯状画像の作成方法を説明する図
【図１０】ノズル位置確認用画像における帯状画像の作成方法を説明する図
【図１１】ノズル位置確認用画像における帯状画像の作成方法を説明する図
【図１２】ノズル位置確認用画像における帯状画像の作成方法を説明する図
【図１３】ノズル位置確認用画像における帯状画像の作成方法を説明する図
【図１４】参照用画像における斜線画像の作成方法を説明する図
【図１５】参照用画像における帯状画像の作成方法を説明する図
【図１６】インクジェットプリンタの概略構成を示すブロック図
【図１７】調整用チャートのチャート選択記号と使用ノズルの位置データとを対応づけしたテーブル
【図１８】調整用チャートの他の態様を示す平面図
【図１９】直線画像の他の態様を示す平面図
【図２０】ヘッド位置が厳密に調整された隣接する短尺ヘッドの重なり部をノズル側から見た拡大図
【符号の説明】
【００８１】
１：ヘッドユニット
１Ａ〜１Ｆ：短尺ヘッド
１ａ、１ｂ：ノズル
１０：ノズル位置確認用画像
１１：斜線画像
１１Ａ、１１Ｂ：斜線部
１２：帯状画像
１２Ａ、１２Ｂ：帯状部
１３：直線画像
１３Ａ、１３Ｂ：直線部
１４Ａ、１４Ｂ：目印線
２０：参照用画像
２１：斜線画像
２２：帯状画像
２２１、２２２：帯状部
２：重なり部
３：チャート選択記号
１００：制御部
１０１Ａ〜１０１Ｆ：ヘッドドライバ
１０２：チャート用データ記憶部
１０３：ヘッド駆動用データ記憶部
１０４：入力部
１０５：副走査モータ
【図１】
0004985254.tif 000002
【図２】
0004985254.tif 000003
【図３】
0004985254.tif 000004
【図４】
0004985254.tif 000005
【図５】
0004985254.tif 000006
【図６】
0004985254.tif 000007
【図７】
0004985254.tif 000008
【図８】
0004985254.tif 000009
【図９】
0004985254.tif 000010
【図１０】
0004985254.tif 000011
【図１１】
0004985254.tif 000012
【図１２】
0004985254.tif 000013
【図１３】
0004985254.tif 000014
【図１４】
0004985254.tif 000015
【図１５】
0004985254.tif 000016
【図１６】
0004985254.tif 000017
【図１７】
0004985254.tif 000018
【図１８】
0004985254.tif 000019
【図１９】
0004985254.tif 000020
【図２０】
0004985254.tif 000021